(57)【特許請求の範囲】
【請求項１】
略円弧状を呈して対となって配置される磁気コアをコアホルダ内に各別に収納して形成される固定側センサと可動側センサとを該可動側センサを常時閉止方向へと付勢しながら開閉自在に軸支することにより、外包した被測定導体から電気信号を検出して本体回路への送出を自在に形成されたクランプセンサにおいて、前記可動側センサの側のコアホルダには、該コアホルダが備えるレバー部を押圧した際に固定側センサに設けられた固定側接点から離れ、押圧力を解除した際に該固定側接点と自動的に接触する可動側接点を設けるとともに、これら固定側接点と可動側接点との接離状態により固定側センサと可動側センサとの間の開閉状態を検知自在としたことを特徴とするクランプセンサ。
【請求項２】
前記固定側接点と可動側接点とには、検出された前記電気信号を本体回路に送出する際のスイッチとしての機能をも付与したことを特徴とする請求項１記載のクランプセンサ。
【発明の詳細な説明】
【０００１】
【発明の属する技術分野】
本発明は、クランプセンサを構成している固定側センサに対し可動側センサが接触して確実に閉じた状態にあるか否かをごく容易に知ることができるようにしたクランプセンサに関する。
【０００２】
【従来の技術】
クランプセンサは、活線状態にある電線等の被測定導線を外包して測定するクランプ式電流計の構成部材であり、一対のコア部のそれぞれにボビンを介して巻線を施してなる磁気コアを絶縁材料からなるコアホルダ内に各別に収納することにより形成されている。
【０００３】
図３は、上記クランプセンサの一例を示すものであり、略円弧状を呈して対となって配置される磁気コア３，６をコアホルダ４，７内に各別に収納して形成される固定側センサ２と可動側センサ５とを該可動側センサ５を常時閉止方向へと付勢しながら開閉自在に軸支することにより、外包した被測定導体Ｌから電気信号を検出して図示しない本体側回路への送出を自在にしてクランプセンサ１が形成されている。
【０００４】
このため、クランプセンサ１は、可動側センサ５の側のコアホルダ７に設けられているレバー部８を押圧して固定側センサ２の先端部２ａから可動側センサ５の先端部５ａを引き離すことにより、固定側センサ２と可動側センサ５との間に形成される囲繞空間Ｓ内に被測定導線Ｌを導入できるようになっている。
【０００５】
【発明が解決しようとする課題】
しかし、上記構造のクランプセンサ１にあっては、例えば配電盤などのように配線が込み入っている場所にクランプセンサ１を無理しながら送り込んで目指す被測定電線Ｌを外包する際などに、固定側センサ２の先端部２ａに対し可動側センサ５の先端部５ａが正しく接触しているか否かを目視確認することができないこともあり、かかる状況下で測定作業を行う場合には測定結果に対する信頼性を損なわせてしまう不都合があった。
【０００６】
この場合、図３に例示するように可動側センサ５の先端部５ａに固定接点９と可動接点１０とを設けておき、該可動接点１０が固定側センサ２の先端部２ａと当接して押し込まれた際に固定接点９と接触させて固定側センサ２の先端部２ａに対し可動側センサ５の先端部５ａが正しく接触しているか否かを検知できるようにすることも考えられる。
【０００７】
しかし、上記検知手法による場合には、可動接点１０と固定側センサ２の先端部２ａとの間に被測定電線Ｌや他の電線が挟まることにより、固定側センサ２の先端部２ａに対し可動側センサ５の先端部５ａが未だ非接触となっているにもかかわらず、可動接点１０が固定接点９に接触して先端部２ａ，５ａ相互が接触状態にあると誤認してしまう不具合がある。
【０００８】
本発明は従来技術にみられた上記課題に鑑み、クランプセンサを構成している固定側センサに対し可動側センサが接触して確実に閉じた状態にあるか否かを正確に検知して精度の高い測定作業を遂行することができるようにしたクランプセンサを提供することにその目的がある。
【０００９】
【課題を解決するための手段】
本発明は上記目的を達成すべくなされたものであり、その構成上の特徴は、略円弧状を呈して対となって配置される磁気コアをコアホルダ内に各別に収納して形成される固定側センサと可動側センサとを該可動側センサを常時閉止方向へと付勢しながら開閉自在に軸支することにより、外包した被測定導体から電気信号を検出して本体回路への送出を自在に形成されたクランプセンサにあって、前記可動側センサの側のコアホルダには、該コアホルダが備えるレバー部を押圧した際に固定側センサに設けられた固定側接点から離れ、押圧力を解除した際に該固定側接点と自動的に接触する可動側接点を設けるとともに、これら固定側接点と可動側接点との接離状態により固定側センサと可動側センサとの間の開閉状態を検知自在としたことにある。
【００１０】
また、この場合における前記固定側接点と可動側接点とには、検出された前記電気信号を本体回路に送出する際のスイッチとしての機能を付与することができる。
【００１１】
【発明の実施の形態】
図１は、本発明に係るクランプセンサの概略構成例を示す説明図であり、（イ）はその外観形状を、（ロ）は内部回路との関係をそれぞれ示す。
【００１２】
同図によれば、クランプセンサ１１は、略円弧状を呈して対となって配置される磁気コア１３，１６をコアホルダ１４，１７内に各別に収納して形成される固定側センサ１２と可動側センサ１５とを該可動側センサ１５を図示しないバネ材を介装させて常時閉止方向へと付勢しながら開閉自在に軸支することにより、外包した被測定導体Ｌから電気信号を検出して本体回路（図示せず）側への送出を自在に形成されている。
【００１３】
つまり、クランプセンサ１１は、可動側センサ１５の側のコアホルダ１７に設けられているレバー部１８を押圧して固定側センサ１２の先端部１２ａから可動側センサ１５の先端部１５ａを引き離すことにより、固定側センサ１２と可動側センサ１５との間に形成される囲繞空間Ｓ内に被測定導線Ｌを導入できるようになっている。
【００１４】
また、可動側センサ１５の側のコアホルダ１７には、該コアホルダ１７が備えるレバー部１８を押圧した際に固定側センサ１２に設けられた固定側接点ａから離れ、押圧力を解除した際に該固定側接点ａと自動的に接触する可動側接点ｂが設けられている。
【００１５】
具体的には、可動側センサ１５が備えるレバー部１８に対する押圧力が解除されて固定側センサ１２の先端部１２ａに可動側センサ１５の先端部１５ａが接触しているときに相互に当接する位置関係にあるコアホルダ１４の適宜部位には固定側接点ａが、コアホルダ１７の対応部位には可動側接点ｂがそれぞれ設けられている。
【００１６】
この場合、図１（ロ）に示すように、固定側センサ１２の側の固定側接点ａは、常時接地状態にある。これに対し、抵抗Ｒを介して電源電圧Ｖｃｃが給電されている可動側センサ１５の側の可動側接点ｂは、電流の有無を検知する検知部１９と、該検知部１９により電圧Ｖｃｃに基づく電流が流れているを検知したときに作動する例えばブザーやＬＣＤ表示部やＬＥＤランプなどからなる認識手段２０と接続されている。なお、上記場合においては、固定側接点ａと可動側接点ｂとが非接触状態にあるときに例えばブザーを鳴動させるなど、認識手段２０を作動させる回路構成が採用されている。しかし、図示は省略してあるが、必要に応じて固定側接点ａと可動側接点ｂとが接触状態にあるときにブザーを鳴動させるなど、認識手段を作動させる回路構成を採用するものであってもよい。
【００１７】
一方、図２は、本発明の他例を示す説明図であり、例えば電線が接触するなどして磁気コア１３，１６の側に電圧が印加されて絶縁が破壊され、コイルＣに電圧がかかるようなことがあったときに、図示を省略した本体回路を保護することもできるようにしたものである。
【００１８】
すなわち、同図によれば、固定側センサ１２を構成している磁気コア１３と可動側センサ１５を構成している磁気コア１６とは、正しく閉じて固定側接点ａと可動側接点ｂとが接触状態にあるときにスイッチ２１がＯＮとなり、電流を検出するクランプセンサ１１の検出回路（電流−電圧変換部）２２が閉成される結果、クランプセンサ１１で検出された電気信号を増幅回路を含む本体回路側に取り込むことができるようになっている。また、磁気コア１３，１６相互が開いた状態にあるときは、固定側接点ａと可動側接点ｂとが非接触状態となってスイッチがＯＦＦとなるので、クランプセンサ１１の検出回路２２も開成される結果、クランプセンサ１１で検出された電気信号を本体回路側に取り込むことができないようになっている。
【００１９】
【００２０】
なお、上記構成からなるクランプセンサ１１は、それ自体を独立させた単体として形成することができるほか、表示パネル等の必需部材を具備させた図示しないホルダ本体部と一体的に組み合わせることによりクランプ式電流計として形成したものであってもよい。
【００２１】
このようにして構成されている本発明のうち、図１に示す発明によれば、クランプセンサ１１が確実に閉じた状態のもとで被測定導体Ｌを外包しているか否かは、認識手段２０の作動状況により容易に知ることができる。
【００２２】
すなわち、可動側センサ１５の先端部１５ａが固定側センサ１２の先端部１２ａに当接している場合には、可動側接点ｂも固定側接点ａに接触することになる。このとき、電源電圧Ｖｃｃは、検知部１９の側に印加されることなく固定側接点ａを経て接地される結果、例えば認識手段２０がブザーである場合にはその鳴動状態が停止する。したがって、操作者は、クランプセンサ１１が確実に閉じた状態のもとで被測定導体Ｌを外包していることを知ることができる。
【００２３】
また、可動側センサ１５の先端部１５ａが固定側センサ１２の先端部１２ａから離れている場合には、可動側接点ｂも固定側接点ａとは非接触の状態となる。このとき、電源電圧Ｖｃｃは、検知部１９の側に印加される結果、例えば認識手段２０がブザーである場合にはその鳴動状態が依然と継続することになる。したがって、操作者は、クランプセンサ１１が開いた状態のもとで被測定導体Ｌを外包していることを知ることができる。
【００２４】
一方、図２に示す発明によれば、磁気コア１３と磁気コア１６とが図示例のように正しく閉じた状態にある場合には、可動側接点ｂも固定側接点ａに接触してスイッチ２１がＯＮとなり、電流を検出するクランプセンサ１１の検出回路２２が閉成される結果、クランプセンサ１１で検出された電気信号が本体回路側に取り込まれることになる。
【００２５】
また、磁気コア１３と磁気コア１６とが開いた状態にある場合には、可動側接点ｂも固定側接点ａと非接触状態となってスイッチ２１がＯＦＦとなり、電流を検出するクランプセンサ１１の検出回路２２が開成される結果、クランプセンサ１１で検出された電気信号を本体回路側に取り込むことができなくなる。
【００２６】
このため、測定時におけるクランプセンサ１１の開閉状態は、図１に示すと同様にして適宜の認識手段２０により把握することができると同時に、例えば電線と接触するなどして磁気コア１３，１６の側に電圧が印加されて絶縁が破壊され、コイルＣに電圧がかかるようなことがあっても図示を省略した本体回路を確実に保護することもできることになる。
【００２７】
【００２８】
【発明の効果】
以上述べたように本発明のうち、請求項１に係る発明によれば、クランプセンサを構成している固定側センサに対し可動側センサが接触して確実に閉じた状態にあるか否かは、認識手段の作動状態により極く容易に知ることができるので、例えば配電盤などのように配線が込み入っている場所にクランプセンサを無理しながら送り込んで目指す被測定電線を外包する際などにおいても、認識手段の作動状態を確認しながら高い精度のもとで測定作業を遂行することができる。
【００２９】
また、請求項２に係る発明によれば、固定側センサを構成する磁気コアと可動側センサを構成する磁気コアと正しく閉じた状態にある場合には電流を検出するクランプセンサの検出回路を閉成することができるのに対し、開いた状態にある場合には検出回路が開成されることになる。したがって、測定時におけるクランプセンサの開閉状態を適宜の認識手段により把握できると同時に、仮に磁気コアの側に電圧が印加されて絶縁が破壊されてコイルに電圧がかかるようなことがあっても本体回路を確実に保護することもできることになる。
【００３０】
【図面の簡単な説明】
【図１】本発明に係るクランプセンサの一例を示す概略説明図であり、（イ）はその外観構成を、（ロ）は回路構成をそれぞれ示す。
【図２】本発明に係るクランプセンサの他例を示す要部説明図である。
【図３】従来からあるクランプセンサの外観構成例を示す説明図である。
【符号の説明】
１，１１  クランプセンサ
２，１２  固定側センサ
２ａ，１２ａ  先端部
３，１３  磁気コア
４，１４  コアホルダ
５，１５  可動側センサ
５ａ，１５ａ  先端部
６，１６  磁気コア
７，１７  コアホルダ
８，１８  レバー部
９  固定接点
１０  可動接点
１９  検知部
２０  認識手段
２１  スイッチ
２２  検出回路
ａ  固定側接点
ｂ  可動側接点
Ｃ  コイル
Ｌ  被測定導体
Ｓ  囲繞空間
【図１】
0003943209.tif 000002
【図２】
0003943209.tif 000003
【図３】
0003943209.tif 000004